(57)【要約】【課題】タイムスイッチの不良を検出する。【解決手段】負荷に対して電力を供給するときに閉じ、前記負荷に対して電力を供給しないときに開くタイムスイッチの開閉状態を検出する検出装置と、前記タイムスイッチが閉じているべき第１タイミングで開いていること、又は、前記タイムスイッチが開いているべき第２タイミングで閉じていることを示す前記検出装置の検出結果に基づいて報知を行う報知装置と、を備える。【選択図】  図４
2014235892.tif 000002
【特許請求の範囲】
【請求項１】
負荷に対して電力を供給するときに閉じ、前記負荷に対して電力を供給しないときに開くタイムスイッチの開閉状態を検出する検出装置と、
前記タイムスイッチが閉じているべき第１タイミングで開いていること、又は、前記タイムスイッチが開いているべき第２タイミングで閉じていることを示す前記検出装置の検出結果に基づいて報知を行う報知装置と、
を備えたことを特徴とするタイムスイッチの不良検出装置。
【請求項２】
前記報知装置は、前記第２タイミングで前記タイムスイッチが閉じていることを前記検出装置が検出した場合、前記タイムスイッチを閉じる時刻の設定が誤っていることの報知を行う
ことを特徴とする請求項１に記載のタイムスイッチの不良検出装置。
【請求項３】
前記報知装置は、前記第１タイミングで前記タイムスイッチが開いていることを前記検出装置が検出した場合、前記タイムスイッチを閉じる時間帯の設定が誤っていることの報知を行う
ことを特徴とする請求項１に記載のタイムスイッチの不良検出装置。
【請求項４】
前記第１タイミングは所定期間内に複数設けられ、
前記報知装置は、前記第１タイミングで前記タイムスイッチが開いていることを前記検出装置が繰り返し検出した場合、前記タイムスイッチを閉じる時間帯の設定が誤っていることの報知を行う
ことを特徴とする請求項１に記載のタイムスイッチの不良検出装置。
【発明の詳細な説明】
【技術分野】
【０００１】
本発明は、タイムスイッチの不良検出装置に関する。
【背景技術】
【０００２】
例えば、負荷に対して電力を供給するときに閉じ、負荷に対して電力を供給しないときに開くタイムスイッチが知られている（例えば特許文献１）。
【先行技術文献】
【特許文献】
【０００３】
【特許文献１】特開平６−１６２８９０号公報
【発明の概要】
【発明が解決しようとする課題】
【０００４】
例えば、負荷に対して電力を供給するときに閉じ、負荷に対して電力を供給しないときに開くタイムスイッチにおいては、特許文献１のタイムスイッチも含め、タイムスイッチを開閉させるための設定不良により誤動作が引き起こされることがある。タイムスイッチの誤動作が引き起こされるのを防止するために行われるタイムスイッチの設定不良を検出する検出作業は、例えば人手により行われている。このため、タイムスイッチが複数ある場合、検出作業の作業漏れ等によりタイムスイッチの設定不良を検出できない虞がある。
【課題を解決するための手段】
【０００５】
前述した課題を解決する主たる本発明は、負荷に対して電力を供給するときに閉じ、前記負荷に対して電力を供給しないときに開くタイムスイッチの開閉状態を検出する検出装置と、前記タイムスイッチが閉じているべき第１タイミングで開いていること、又は、前記タイムスイッチが開いているべき第２タイミングで閉じていることを示す前記検出装置の検出結果に基づいて報知を行う報知装置と、を備えたことを特徴とするタイムスイッチの不良検出装置である。
【０００６】
本発明の他の特徴については、添付図面及び本明細書の記載により明らかとなる。
【発明の効果】
【０００７】
本発明によれば、タイムスイッチの不良を検出することができる。
【図面の簡単な説明】
【０００８】
【図１】本発明の第１実施形態における配電系統を示す図である。
【図２】本発明の第１実施形態における監視装置の機能を示すブロック図である。
【図３】本発明の第１実施形態におけるスイッチ装置の設定が正常であるときの測定装置の測定結果を示す図である。
【図４】本発明の第１実施形態におけるスイッチ装置の設定が正常でないときの測定装置の測定結果を示す図である。
【図５】本発明の第１実施形態における検出部の各検出結果と各報知信号とを示す報知情報テーブルを示す図である。
【図６】本発明の第１実施形態における監視装置の動作を示すフローチャートである。
【図７】本発明の第２実施形態における配電系統を示す図である。
【図８】本発明の第２実施形態における監視装置の機能を示すブロック図である。
【図９】本発明の第２実施形態における測定装置の測定結果を示す図である。
【発明を実施するための形態】
【０００９】
本明細書および添付図面の記載により、少なくとも以下の事項が明らかとなる。
【００１０】
[第１実施形態]
＝＝＝配電系統＝＝＝
以下、図１を参照して、本実施形態における配電系統について説明する。図１は、本実施形態における配電系統を示す図である。
【００１１】
配電系統１００は、配電線Ｌ１００、需要家１、監視装置２、報知装置３を有する。尚、配電系統１００には、需要家１と同様な構成の需要家が複数設けられているが、説明の便宜上、例えば１つの需要家１が設けられていることとする。
【００１２】
需要家１は、配電線Ｌ１００から電力が供給される。需要家１は、電力線Ｌ１乃至Ｌ４、温水器１１（負荷）、一般負荷１２、スイッチ装置１３、測定装置Ｍ１を有する。尚、測定装置Ｍ１、監視装置２及び報知装置３が、タイムスイッチの不良検出装置に対応する。
【００１３】
電力線Ｌ４は、配電線Ｌ１００から需要家１に対して電力を供給するための例えば引込み線である。電力線Ｌ４の一端は、柱上変圧器Ｔｒの二次側に接続される。尚、柱上変圧器Ｔｒの一次側は、配電線Ｌ１００に接続される。電力線Ｌ４の他端は、接続点Ｃ１１において、電力線Ｌ１、Ｌ２夫々の一端と共通に接続される。電力線Ｌ２の他端は、一般負荷１２に接続される。電力線Ｌ１の他端は、スイッチ装置１３における一方の接点に接続される。スイッチ装置１３における他方の接点には、電力線Ｌ３の一端が接続される。電力線Ｌ３の他端は、温水器１１に接続される。
【００１４】
一般負荷１２は、需要家１における温水器１１以外の電力負荷である。一般負荷１２は、例えば、配電線Ｌ１００から供給される電力に基づいて点灯する照明装置等である。
【００１５】
温水器１１は、配電線Ｌ１００から供給される電力に基づいて、貯留槽１１１に貯留されている例えば水等の液体を加熱する電力負荷である。
【００１６】
スイッチ装置１３は、電力線Ｌ１、Ｌ３の間に設けられ、予め決められた時間にオンオフするタイムスイッチである。
【００１７】
測定装置Ｍ１は、電力線Ｌ３に設けられる例えばスマートメータである。測定装置Ｍ１は、電力線Ｌ３を介して温水器１１に供給される電力を測定する。測定装置Ｍ１は、電力線Ｌ３における例えば３０分等の所定時間毎の電力量を測定し、当該測定結果を示す測定信号Ｓ１を出力する。つまり、測定信号Ｓ１においては、所定時間（例えば３０分）毎の温水器１１において使用される電力量が示されている。
【００１８】
監視装置２は、測定信号Ｓ１に基づいて、スイッチ装置１３の設定が正常であるか否かを監視する装置である。尚、設定が正常であるとは、設定に誤りが無いことを示している。又、設定が正常でない（異常である）とは、設定に誤りがあることを示している。監視装置２は、例えば、配電系統１００の電力量等に関する演算を行うための装置等が設けられている計算機センター等に設けられる。
【００１９】
報知装置３は、監視装置２の監視結果に基づいて報知する装置である。報知装置３は、例えば、需要家１の温水器１１に関する作業を行う作業者が待機している営業所等に設けられる。報知装置３は、警報メッセージを表示するための表示装置（不図示）、警報音を発生するためのスピーカ装置（不図示）等を有する。
【００２０】
＝＝＝温水器＝＝＝
以下、図１を参照して、本実施形態における温水器について説明する。
【００２１】
＜温水器１１の構成＞
温水器１１は、前述したように、配電線Ｌ１００から供給される電力に基づいて、貯留槽１１１に貯留されている例えば水等の液体を加熱する電力負荷である。温水器１１は、貯留槽１１１、温度センサ１１２を有する。
【００２２】
貯留槽１１１は、水が貯留される。貯留槽１１１の容量は、例えば４００リットルである。つまり、貯留槽１１１には、最大４００リットルの水が貯留される。
【００２３】
温度センサ１１２は、貯留槽１１１に貯留されている水の温度が設定温度以上となっていることを検出する装置である。設定温度は、例えば９０℃等の比較的高温であり、温水器１１の設置の際に設定され温水器１１のユーザによって変更不可能であることとしてもよいし、温水器１１のユーザによって変更可能であることとしてもよい。
【００２４】
貯留槽１１１に貯留されている水の温度が設定温度以上となっていることを温度センサ１１２が検出した場合、温水器１１は、遮断信号Ｓ２を出力する。
【００２５】
＜温水器１１に供給される電力＞
温水器１１は、温水器１１のユーザと、温水器１１に対して供給さる電力を販売する電力会社との間の契約（「電気契約」とも称する）に基づく値の電力が供給される。電気契約においては、例えば、４キロワットの電力が温水器１１に供給されるように定められていることとする。つまり、１時間で４キロワット時の電力量の電力が、配電線Ｌ１００から温水器１１に対して供給され、３０分で２キロワット時の電力量の電力が、配電線Ｌ１００から温水器１１に対して供給されることになる。尚、温水器１１に供給される電力の調整は、電気契約に基づいて、例えば電力線Ｌ４のはりかえ等により行われる。又、温水器１１に供給される電力の調整は、電気契約に基づいて、例えば需要家１に設けられている配電盤等の配電装置の設定変更により行われることとしてもよい。
【００２６】
＜電力が温水器１１に供給されるべき時間帯＞
一般的に、例えば２３時〜８時の夜間時間帯における配電線Ｌ１００の電力の需要量は、夜間時間帯以外の時間帯における配電線Ｌ１００の電力の需要量よりも少なくなる。２３時〜８時の夜間時間帯の電力の需要量を増加させるために、温水器１１には、２３時〜８時の夜間時間帯に電力が供給されることが望ましい。尚、配電線Ｌ１００の電力の需要量とは、配電線Ｌ１００から電力負荷に対して供給される電力の量のことを示している
＜電力が温水器１１に供給されるべき時間＞
配電線Ｌ１００の電力が温水器１１に供給されるべき時間（「温水器１１の通電されるべき時間」とも称する）は、例えば電気契約により定められる。温水器１１の通電されるべき時間は、第１時間、又は、第１時間よりも短い第２時間の何れかに定められることとする。尚、説明の便宜上、第１時間が例えば９時間であり、第２時間が例えば５時間であることとして、以下説明する。
【００２７】
例えば、温水器１１の通電されるべき時間が第１時間に定められている場合、夜間時間帯において第１時間だけ配電線Ｌ１００の電力が温水器１１に対して供給されるように、スイッチ装置１３が設定される。一方、例えば、温水器１１の通電されるべき時間が第２時間に定められている場合、夜間時間帯において第２時間だけ配電線Ｌ１００の電力が温水器１１に対して供給されるように、スイッチ装置１３が設定される
＝＝＝スイッチ装置＝＝＝
以下、図１を参照して、本実施形態におけるスイッチ装置について説明する。
【００２８】
＜スイッチ装置の構成＞
スイッチ装置１３は、前述したように、予め決められた時間にオンオフするタイムスイッチである。スイッチ装置１３がオンオフする時間は、例えば、温水器１１に関する作業を行う作業者によって設定される。
【００２９】
スイッチ装置１３がオン（閉）したとき、電力線Ｌ１、Ｌ３は電気的に接続される。このとき、配電線Ｌ１００から温水器１１に対して電力が供給されることになる。一方、スイッチ装置１３がオフ（開）したとき、電力線Ｌ１、Ｌ３は電気的に遮断される。このとき、配電線Ｌ１００から温水器１１に対して電力が供給されないことになる。尚、スイッチ装置１３がオンされることを、スイッチ装置１３が投入されるとも称することとする。又、スイッチ装置１３がオフされることを、スイッチ装置１３が遮断されるとも称することとする。尚、スイッチ装置１３は、遮断信号Ｓ２を受信したときにも遮断される。
【００３０】
＜スイッチ装置の設定＞
スイッチ装置１３は、通電開始時刻と通電時間とが設定される。尚、通電開始時刻は、スイッチ装置１３が投入される時刻を示している。通電時間は、スイッチ装置１３が投入された状態が維持される時間を示している。つまり、通電時間は、スイッチ装置１３が投入された時からスイッチ装置１３が遮断されるまでの時間を示している。
【００３１】
スイッチ装置１３は、設定されている通電開始時刻及び通電時間に基づいて、スイッチ装置１３を投入したり遮断したりする。尚、スイッチ装置１３には、時間を計時するタイマ（不図示）が設けられていることとする。スイッチ装置１３は、タイマの計時結果と、上述の通電開始時刻及び通電時間とに基づいて、スイッチ装置１３を投入したり遮断したりする。
【００３２】
例えば、電気契約において温水器１１の通電されるべき時間が第１時間（９時間）に定められている場合、通電開始時刻は２３時に設定され、通電時間は９時間に設定される。この場合、スイッチ装置１３が２３時に投入された後、８時に遮断されることになる。つまり、この場合、夜間時間帯において第１時間（９時間）だけ温水器１１に対して電力が供給されることになる。
【００３３】
例えば、電気契約において温水器１１の通電されるべき時間が第２時間（５時間）に定められている場合、通電開始時刻は１時に設定され、通電時間は５時間に設定される。この場合、スイッチ装置１３が１時に投入された後、６時に遮断されることになる。つまり、この場合、夜間時間帯において第２時間（５時間）だけ温水器１１に対して電力が供給されることになる。
【００３４】
＝＝＝監視装置＝＝＝
以下、図２を参照して、本実施形態における監視装置について説明する。図２は、本実施形態における監視装置の機能を示すブロック図である。
【００３５】
監視装置２は、測定信号Ｓ１に基づいて、スイッチ装置１３の設定が正常であるか否かを監視する装置である。監視装置２は、入力部２１、表示部２２、通信部２３、記憶部２４、第１検出部２５、第２検出部２６、第３検出部２７、制御部２８を有する。尚、第１検出部２５、第２検出部２６及び測定装置Ｍ１が検出装置に相当する。
【００３６】
入力部２１は、監視装置２に対して情報を入力するための例えばキーボード及びマウスである。
【００３７】
表示部２２は、監視装置２に記憶されている情報等を表示するための例えば液晶ディスプレイである。
【００３８】
通信部２３は、測定装置Ｍ１及び報知装置３との間で通信を行う。尚、監視装置２は、測定装置Ｍ１及び報知装置３との間で通信できるように、例えば通信ネットワーク（不図示）を介して、測定装置Ｍ１及び報知装置３と接続されていることとする。
【００３９】
記憶部２４は、例えば、第１の領域２４１及び第２の領域２４２を有する。  
第１の領域２４１には、例えば、監視装置２を統括制御するためのプログラムが記憶されている。第２の領域２４２には、電気契約の契約内容を示す情報が記憶されている。尚、電気契約の契約内容においては、温水器１１に供給されるべき電力と、温水器１１の通電されるべき時間とが含まれていることとする。尚、温水器１１の通電されるべき時間とは、配電線Ｌ１００から温水器１１に対して電力が供給され続けられるべき時間を示している。尚、電気契約において、通電されるべき時間は、第１時間又は第２時間の何れか一方に定められていることとする。第２の領域２４２には、更に、測定装置Ｍ１の測定結果を示す情報が記憶される。第２の領域２４２には、例えば現在から３年前までにおける、測定装置Ｍ１の測定結果を示す情報が記憶される。
【００４０】
第１検出部２５及び第２検出部２６は、測定信号Ｓ１に基づいて、スイッチ装置１３の開閉状態を検出する。第１検出部２５及び第２検出部２６は、検出されたスイッチ装置１３の開閉状態に基づいて、スイッチ装置１３の設定が正常でない（異常である）ことを検出する。尚、スイッチ装置１３の設定が正常でないことを、スイッチ装置１３の不良又はスイッチ装置１３の設定不良とも称する。第３検出部２７は、温水器１１に供給されている電力が温水器１１に供給されるべき電力でないことを検出する。尚、温水器１１に供給されるべき電力とは、電気契約の契約内容に示されている温水器１１に供給されるべき電力を示している。尚、第１検出部２５、第２検出部２６及び第３検出部２７（「各検出部」とも称する）は、第１の領域２４１に記憶されているプログラムを制御部２８が実行することにより実現される監視装置２の機能である。各検出部の詳細については、後述する。
【００４１】
制御部２８は、各検出部の検出結果に基づいて、第１報知信号Ｓ３１、第２報知信号Ｓ３２、第３報知信号Ｓ３３、第４報知信号Ｓ３４（「各報知信号」とも称する）を出力させる。更に、制御部２８は、監視装置２を統括制御する。
【００４２】
＝＝＝測定装置の測定結果＝＝＝
以下、図３及び図４を参照して、本実施形態における測定装置の測定結果について説明する。図３は、本実施形態におけるスイッチ装置の設定が正常であるときの測定装置の測定結果を示す図である。図４は、本実施形態におけるスイッチ装置の設定が正常でないときの測定装置の測定結果を示す図である。尚、図３及び図４における横軸は、２４時間を示しており、縦軸は３０分毎の電力量を示している。時刻Ｔａ１、Ｔａ２、Ｔａ３は夫々、２２時、２３時、８時を示している。時間帯Ｄ２は、夜間時間帯を示している。時間帯Ｄ１、Ｄ３は、夜間時間帯以外の時間帯を示している。
【００４３】
図３においては、時刻Ｔａ１から第１時刻Ｔ１１までの電力量が０となり、第１時刻Ｔ１１から第２時刻Ｔ１２までの電力量が電力量Ｗ１となり、第２時刻Ｔ１２以降の電力量が０となっている。
【００４４】
図４においては、時刻Ｔａ１から第１時刻Ｔ２１までの電力量が０となり、第１時刻Ｔ２１から第２時刻Ｔ２２までの電力量が電力量Ｗ１となり、第２時刻Ｔ２２以降の電力量が０となっている。
【００４５】
＜通電開始時刻及び通電時間に関する設定＞
電力量が０から電力量Ｗ１に増加している第１時刻Ｔ１１、Ｔ２１は、スイッチ装置１３が投入された時刻に対応する。電力量がＷ１から電力量０に減少している第２時刻Ｔ１２、Ｔ２２は、スイッチ装置１３が遮断された時刻に対応する。つまり、第１時刻Ｔ１１、Ｔ２１及び第２時刻Ｔ１２、Ｔ２２は、スイッチ装置１３に設定されている通電開始時刻及び通電時間に応じて定まることになる。従って、第１時刻Ｔ１１、Ｔ２１及び第２時刻Ｔ１２、Ｔ２２に基づいて、スイッチ１３における通電開始時刻及び通電時間に関する設定が正常であるか否かを判断し、当該設定が正常でない（異常である）ことの検出が可能となる。
【００４６】
尚、電力量が０から所定の電力量（例えば電力量Ｗ１）に増加する時刻を、増加時刻とも称する。電力量が所定の電力量（例えば電力量Ｗ１）から０に減少する時刻を、減少時刻とも称する。この場合、第１時刻Ｔ１１、Ｔ２１は、増加時刻に対応し、第２時刻Ｔ１２、Ｔ２２は、減少時刻に対応する。
【００４７】
＜温水器に供給される電力＞
又、電力量Ｗ１に基づいて、温水器１１に供給されている電力が供給されるべき電力でないことの検出が可能となる。
【００４８】
＝＝＝各検出部＝＝＝
以下、図３及び図４を参照して、本実施形態における各検出部について説明する。
【００４９】
＜第１検出部＞
第１検出部２５は、増加時刻及び減少時刻が夜間時間帯における時刻であるか否かについて判断（検出）する。増加時刻及び減少時刻の少なくとも一方が夜間時間帯における時刻でないと判断した場合、第１検出部２５は、通電開始時刻に関する設定（開いている状態のタイムスイッチを閉じる時刻の設定）が正常でない（異常である）ことを検出する。一方、増加時刻及び減少時刻の双方が夜間時間帯における時刻であると判断した場合、第１検出部２５は、通電開始時刻に関する設定が異常であることを検出しない。
【００５０】
ここで、第１検出部２５による検出機能において、時間帯Ｄ１、Ｄ３（第２タイミング）は、スイッチ装置１３が開いているべき時間帯である。図３においては、第１時刻Ｔ１１及び第２時刻Ｔ１２の双方が夜間時間帯の時刻となっているために、第１検出部２５は、通電開始時刻に関する設定が異常であることを検出しない。一方、図４においては、第２時刻Ｔ２２は夜間時間帯の時刻となっているが、第１時刻Ｔ２１が夜間時間帯の時刻となっていないために、第１検出部２５は、通電開始時刻に関する設定が異常であることを検出する。
【００５１】
＜第２検出部（通電されるべき時間が第１時間の場合）＞
温水器１１の通電されるべき時間が電気契約において第１時間であると定められている場合、第２検出部２６は、増加時刻から減少時刻までの時間（「通電時間に対応する時間」とも称する）が第１時間よりも短いか否かについて判断（検出）する。
【００５２】
通電時間に対応する時間が第１時間よりも短くないと判断した場合、第２検出部２６は、通電時間に関する設定が正常でない（異常である）ことを検出しない。
【００５３】
一方、通電時間に対応する時間が第１時間よりも短いと判断した場合、第２検出部２６は、通電時間に関する設定が異常である可能性があると判断する。通電時間に関する設定が異常である可能性があると判断した場合、第２検出部２６は、前年の同月の１ヶ月間における通電時間に対応する時間が第１時間よりも継続的に短いか否かを判断する。尚、前年の同月の１ヶ月間（所定期間）における通電時間に対応する時間が第１時間よりも継続的に短いとは、例えば、前年の同月が３月に対応する場合、前年の３月１日から３月３１日までの夜間時間帯夫々の通電時間に対応する時間が全て第１時間よりも短いことを示している。尚、第２検出部２６は、第２の領域２４２に記憶されている測定結果を情報に基づいて、これらの判断を行う。
【００５４】
例えば、前年の同月の１ヶ月間における通電時間に対応する時間が第１時間よりも継続的に短いと判断しなかった場合、第２検出部２６は、通電時間に関する設定が異常であることを検出しない。一方、例えば、前年の同月の１ヶ月間における通電時間に対応する時間が第１時間よりも継続的に短いと判断した場合、第２検出部２６は、通電時間に関する設定（タイムスイッチを閉じる時間帯の設定）が異常であることを検出する。つまり、通電時間に対応する時間が第１時間よりも短いことを繰り返し判断（検出）した場合、第２検出部２６は、通電時間に関する設定が異常であることを検出する。ここで、温水器１１の通電されるべき時間が電気契約において第１時間であると定められている場合の第２検出部２６による検出機能において、通電開始時刻が２３時とされている場合、２３時から８時までの時間帯Ｄ２（第１タイミング）は、スイッチ装置１３が閉じているべき時間帯となる。
【００５５】
＜第２検出部（通電されるべき時間が第２時間の場合）＞
温水器１１の通電されるべき時間が電気契約において第２時間であると定められている場合、第２検出部２６は、通電時間に対応する時間が第２時間よりも長いか否かについて判断する。
【００５６】
通電時間に対応する時間が第２時間よりも長くないと判断した場合、第２検出部２６は、通電時間に関する設定が異常であることを検出しない。一方、通電時間に対応する時間が第２時間よりも長いと判断した場合、第２検出部２６は、通電時間に関する設定が異常であることを検出する。
【００５７】
＜第３検出部＞
第３検出部２７は、電力量Ｗ１が契約内容に応じた電力量であるか否かについて判断する。契約内容に応じた電力量とは、温水器１１に供給されるべき電力として電気契約において定められている電力が、電力量Ｗ１に示される時間（３０分）使用されたときの電力量を示している。例えば、温水器１１に供給されるべき電力が４キロワットの場合、契約内容に応じた電力量は２キロワット時となる。つまり、第３検出部２７は、電力量Ｗ１が２キロワット時であるか否かについて判断する。
【００５８】
電力量Ｗ１が２キロワット時となっていると判断した場合、第３検出部２７は、温水器１１に供給されている電力が温水器１１に供給されるべき電力であることを検出する。一方、電力量Ｗ１が２キロワット時となっていないと判断した場合、第３検出部２７は、温水器１１に供給されている電力が温水器１１に供給されるべき電力でないことを検出する。
【００５９】
＝＝＝制御部＝＝＝
以下、図２及び図５を参照して、本実施形態における制御部について説明する。  
図５は、本実施形態における検出部の各検出結果と各報知信号とを示す報知情報テーブルを示す図である。
【００６０】
報知情報テーブルＴ１においては、各検出部の検出結果と各報知信号とが対応付けられている。報知情報テーブルＴ１は、第２の領域２４２に記憶されていることとしてもよい。
【００６１】
制御部２８は、報知情報テーブルＴ１に基づいて各報知信号を監視装置２から出力させる。
【００６２】
通電開始時刻に関する設定が異常であることを第１検出部２５が検出したとき（報知情報テーブルＴ１の第１の場合）、制御部２８は、第１報知信号Ｓ３１を出力させる。又、通電されるべき時間が電気契約において第１時間であると定められているときに、通電時間に関する設定が異常であることを第２検出部２６が検出した場合（報知情報テーブルＴ１の第２の場合）、制御部２８は、第２報知信号Ｓ３２を出力させる。又、通電されるべき時間が電気契約において第２時間であると定められているときに、通電時間に関する設定が異常であることを第２検出部２６が検出した場合（報知情報テーブルＴ１の第３の場合）、制御部２８は、第３報知信号Ｓ３３を出力させる。又、温水器１１に供給されている電力が温水器１１に供給されるべき電力でないことを第３検出部２７が検出した場合（報知情報テーブルＴ１の第４の場合）、制御部２８は、第４報知信号Ｓ３４を出力させる。
【００６３】
＝＝＝監視装置の動作＝＝＝
以下、図１及び図６を参照して、本実施形態における監視装置の動作について説明する。  
図６は、本実施形態における監視装置の動作を示すフローチャートである。  
第１の領域２４１に記憶されているプログラムが実行されて、制御部２８が監視装置２の統括制御を開始したところから説明する。
【００６４】
第１検出部２５は、増加時刻、減少時刻が夜間時間帯における時刻であるか否かについて判断する（ステップＳｔ１１）。つまり、第１検出部２５は、温水器１１に対して夜間時間帯以外に電力が供給されているか否かについて判断する。例えば、増加時刻及び減少時刻の少なくとも一方が夜間時間帯における時刻でないと判断した場合（ステップＳｔ１１のＹＥＳ）、第１検出部２５は、通電開始時刻に関する設定が異常であることを検出する。この場合、制御部２８は、第１報知信号Ｓ３１を監視装置２から出力（ステップＳｔ１５）させた後、制御動作を終了する。第１報知信号Ｓ３１は、報知装置３に対して送信される。報知装置３は、第１報知信号Ｓ３１を受信した後、通電開始時刻に関する設定が誤っていることの報知を行う。温水器１１に関する作業を行う作業者は、当該報知に基づいて、通電開始時刻に関する設定等の確認を行う。
【００６５】
ステップＳｔ１の判断において、例えば、増加時刻及び減少時刻の双方が夜間時間帯における時刻であると判断した場合（ステップＳｔ１１のＮＯ）、監視装置２は、温水器１１が９時間型の温水器であるか否かを判断する（ステップＳｔ１２）。尚、温水器１１が９時間型の温水器であるとは、通電されるべき時間が電気契約において第１時間であると定められていることを示している。例えば、温水器１１が９時間型の温水器でないと判断した場合（ステップＳｔ１２のＮＯ）、第２検出部２６は、温水器１１が５時間型の温水器であることとして、通電時間に対応する時間が第２時間よりも長いか否かについて判断する（ステップＳｔ１３）。尚、温水器１１が５時間型の温水器であるとは、通電されるべき時間が電気契約において第２時間であると定められていることを示している。
【００６６】
ステップＳｔ１３の判断において、例えば、通電時間に対応する時間が第２時間よりも長いと判断しなかった場合（ステップＳｔ１３のＮＯ）、第３検出部２７は、温水器１１に供給されている電力が温水器１１に供給されるべき電力であるか否かを判断する（ステップＳｔ１４）。例えば、温水器１１に供給されている電力が温水器１１に供給されるべき電力であると判断した場合（ステップＳｔ１４のＹＥＳ）、制御部２８は、制御動作を終了する。
【００６７】
ステップＳｔ１４の判断において、例えば、温水器１１に供給されている電力が温水器１１に供給されるべき電力でないと判断した場合（ステップＳｔ１４のＮＯ）、第３検出部２７は、温水器１１に供給されている電力が温水器１１に供給されるべき電力でないことを検出する。この場合、制御部２８は、第４報知信号Ｓ３４を監視装置２から出力（ステップＳｔ１７）させた後、制御動作を終了する。第４報知信号Ｓ３４は、報知装置３に対して送信される。報知装置３は、第４報知信号Ｓ３４を受信した後、温水器１１に供給されている電力が温水器１１に供給されるべき電力でないことを報知する。温水器１１に関する作業を行う作業者は、当該報知に基づいて、温水器１１が他の温水器に変更になったこと、電気契約の契約内容等について確認を行う。
【００６８】
ステップＳｔ１３の判断において、例えば、通電時間に対応する時間が第２時間よりも長いと判断した場合（ステップＳｔ１３のＹＥＳ）、第２検出部２６は、通電時間に関する設定が異常であることを検出する。この場合、制御部２８は、第３報知信号Ｓ３３を監視装置２から出力（ステップＳｔ１６）させた後、制御動作を終了する。第３報知信号Ｓ３３は、報知装置３に対して送信される。報知装置３は、第３報知信号Ｓ３３を受信した後、通電時間に関する設定が異常であることを報知する。温水器１１に関する作業を行う作業者は、当該報知に基づいて、温水器１１の貯留槽１１１からの水漏れ、電気契約の契約内容等について確認を行う。
【００６９】
ステップＳｔ１２の判断において、例えば、温水器１１が９時間型の温水器であると判断した場合（ステップＳｔ１２のＹＥＳ）、第２検出部２６は、通電時間に対応する時間が第１時間よりも短いか否かについて判断する（ステップＳｔ１８）。例えば、通電時間に対応する時間が第１時間よりも短いと判断しなかった場合（ステップＳｔ１８のＮＯ）、第３検出部２７は、前述のステップＳｔ１４の判断を行う。
【００７０】
ステップＳｔ１８の判断において、例えば、通電時間に対応する時間が第１時間よりも短いと判断した場合（ステップＳｔ１８のＹＥＳ）、第２検出装置２６は、通電時間に関する設定が異常である可能性があるとして、前年の同月の１ヶ月間における通電時間に対応する時間が第１時間よりも継続的に短いか否かを判断する（ステップＳｔ１９）。例えば、前年の同月の１ヶ月間における通電時間に対応する時間が第１時間よりも継続的に短いと判断しなかった場合（ステップＳｔ１９のＮＯ）、第３検出部２７は、前述のステップＳｔ１４の判断を行う。
【００７１】
ステップＳｔ１９の判断において、例えば、前年の同月の１ヶ月間における通電時間に対応する時間が第１時間よりも継続的に短いと判断した場合（ステップＳｔ１９のＹＥＳ）、第２検出部２６は、通電時間に関する設定が異常であることを検出する。この場合、制御部２８は、第２報知信号Ｓ３２を監視装置２から出力（ステップＳｔ２０）させた後、制御動作を終了する。第２報知信号Ｓ３２は、報知装置３に対して送信される。報知装置３は、第２報知信号Ｓ３２を受信した後、通電時間に関する設定が誤っていることの報知を行う。温水器１１に関する作業を行う作業者は、当該報知に基づいて、通電時間に関する設定について確認を行う。
【００７２】
尚、前述のステップＳｔ１８においては、例えば通電時間に関する設定が異常であることに基づいて通電時間に対応する時間が９時間より短いと判断されることと、前述の遮断信号Ｓ２に基づくスイッチ装置１３の遮断に基づいて通電時間に対応する時間が９時間より短いと判断されることとがある。ステップＳｔ１８がＹＥＳの後、ステップＳｔ１９の判断が行われることにより、通電時間に関する設定が異常であることを確実に検出することが可能となる。
【００７３】
[第２実施形態]
＝＝＝配電系統＝＝＝
本実施形態における配電系統１００Ｂは、第１実施形態における配電系統１００において、需要家１、監視装置２を夫々、需要家１Ｂ、監視装置２Ｂに変更したものである。配電系統１００Ｂにおける需要家１Ｂ、監視装置２Ｂ以外の構成は、配電系統１００の構成と同様である。
【００７４】
以下、図７を参照して、本実施形態における配電系統について説明する。図７は、本実施形態における配電系統を示す図である。
【００７５】
配電系統１００Ｂは、需要家１Ｂ、監視装置２Ｂを有する。  
需要家１Ｂは、需要家１（第１実施形態）における測定装置Ｍ１を測定装置Ｍ３に変更したものである。需要家１Ｂは、測定装置Ｍ３を有する。  
測定装置Ｍ３は、電力線Ｌ４に設けられる例えばスマートメータである。測定装置Ｍ３は、電力線Ｌ４を介して温水器１１及び一般負荷１２に対して供給される電力を測定する。測定装置Ｍ３は、電力線Ｌ４における例えば３０分等の所定時間毎の電力量を測定し、当該測定結果を示す測定信号Ｓ３を出力する。つまり、測定信号Ｓ３においては、所定時間（例えば３０分）毎の温水器１１及び一般負荷１２において使用される電力量の合計が示されている。
【００７６】
＝＝＝監視装置＝＝＝
以下、図８を参照して、本実施形態における監視装置について説明する。図８は、本実施形態における監視装置の機能を示すブロック図である。
【００７７】
監視装置２Ｂは、監視装置２（第１実施形態）における第１検出部２５、第２検出部２６、第３検出部２７を夫々、第１検出部２５Ｂ、第２検出部２６Ｂ、第３検出部２７Ｂに変更し、演算部２９Ｂを追加したものである。監視装置２Ｂにおける第１検出部２５Ｂ、第２検出部２６Ｂ、第３検出部２７Ｂ、演算部２９Ｂ以外の構成は、監視装置２の構成と同様であることとする。
【００７８】
監視装置２Ｂは、第１検出部２５Ｂ、第２検出部２６Ｂ、第３検出部２７Ｂ、演算部２９Ｂを有する。
【００７９】
演算部２９Ｂは、測定信号Ｓ３に示されている測定装置Ｍ３による測定結果から、温水器１１において使用される電力量を分離する。つまり、演算部２９Ｂは、所定時間毎の温水器１１及び一般負荷１２において使用される電力量の合計（「合計電力量」とも称する）から、温水器１１において使用される電力量（「温水器１１の電力量」とも称する）を分離し、分離された温水器１１の電力量を示す情報を第２の領域２４２に記憶する。
【００８０】
第１検出部２５Ｂ、第２検出部２６Ｂ、第３検出部２７Ｂは夫々、演算部２９Ｂによって演算された温水器１１の電力量に基づいて、第１検出部２５（第１実施形態）、第２検出部２６、第３検出部２７と同様な検出を行う。
【００８１】
＝＝＝演算部＝＝＝
以下、図９を参照して、本実施形態における演算部について説明する。図９は、本実施形態における測定装置の測定結果を示す図である。
【００８２】
図９においては、時刻Ｔａ１から第１時刻Ｔ３１まで（「第１期間」とも称する）の電力量が電力量Ｗ２であり、第１時刻Ｔ３１から第２時刻Ｔ３２まで（「第２期間」とも称する）の電力量が電力量Ｗ３であり、第２時刻Ｔ３２以降（「第３期間」とも称する）の電力量が電力量Ｗ２であることが示されている。
【００８３】
電力量Ｗ３に対する電力量Ｗ２の差分に対応する電力量Ｗ２０は、温水器１１の電力量に対応している。電力量Ｗ２０は、温水器１１の仕様等に基づいて定まる。従って、例えば温水器１１の仕様等に基づいて定められた電力量Ｗ２０に対応するだけ電力量が変動する時刻（例えば時刻Ｔ３１、Ｔ３２）及び、当該変動する前後の電力量（例えば電力量Ｗ２、Ｗ３）等に基づいて、温水器１１の電力量、スイッチ装置１３が投入された時刻及びスイッチ装置１３が遮断された時刻を推定することが可能となる。
【００８４】
例えば、演算部２９Ｂは、測定装置Ｍ３の測定結果が温水器１１の仕様等に基づいて定められた所定電力量（例えば電力量Ｗ２０）だけ増加する時刻（時刻Ｔ３１）を、スイッチ装置１３が投入された時刻であると推定する。又、演算部２９Ｂは、測定装置Ｍ３の測定結果が所定電力量だけ減少する時刻（時刻Ｔ３２）を、スイッチ装置１３が遮断された時刻であると推定する。演算部２９Ｂは、時刻Ｔａ１から時刻Ｔ３１までの間において電力量が０になり、時刻Ｔ３１から時刻Ｔ３２までの間において電力量が電力量Ｗ３、Ｗ２の差分になり、時刻Ｔ３２以降において電力量が０となる電力量を、温水器１１の電力量になると推定する。
【００８５】
前述したように、測定装置Ｍ１、第１検出部２５及び第２検出部２６は、スイッチ装置１３の開閉状態を検出する。スイッチ装置１３は、温水器１１に対して電力を供給するときに閉じ、温水器１３に対して電力を供給しないときに開くタイムスイッチである。増加時刻及び減少時刻の少なくとも一方が夜間時間帯における時刻でないと第１検出部２５が判断（検出）した場合、報知装置３は報知を行う。又、通電時間に対応する時間が第１時間よりも短いと第１検出部２５が判断（検出）した場合、報知装置３は報知を行う。従って、スイッチ装置１３の不良を検出することができる。
【００８６】
又、増加時刻及び減少時刻の少なくとも一方が夜間時間帯における時刻でないと第１検出部２５が判断（検出）した場合、報知装置３は、通電開始時刻に関する設定が誤っていることの報知を行う。従って、スイッチ装置１３の通電開始時刻に関する設定が誤っていることを検出して、スイッチ装置１３の不良を検出することができる。
【００８７】
又、通電時間に対応する時間が第１時間よりも短いと第２検出部２６が判断（検出）した場合、報知装置３は、通電時間に関する設定が誤っていることの報知を行う。従って、スイッチ装置１３の通電時間に関する設定が誤っていることを検出して、スイッチ装置１３の不良を検出することができる。
【００８８】
又、温水器１１の通電されるべき時間が電気契約において第１時間であると定められているときに通電開始時刻が２３時とされている場合、２３時から８時までの時間帯Ｄ２（第１タイミング）は、例えば、前年の同月の１ヶ月間に複数設けられることになる。通電時間に対応する時間が第１時間よりも短いことを第２検出部２６が繰り返し判断（検出）した場合、報知装置３は、通電時間に関する設定が誤っていることの報知を行う。よって、通電時間に関する設定が異常であることに基づいて通電時間に対応する時間が９時間より短いことと、遮断信号Ｓ２に基づくスイッチ装置１３の遮断に基づいて通電時間に対応する時間が９時間より短いこととを区別することができる。従って、スイッチ装置１３の不良を確実に検出することができる。
【００８９】
尚、第１及び第２実施形態は、本発明の理解を容易にするためのものであり、本発明を限定して解釈するためのものではない。本発明は、その趣旨を逸脱することなく、変更、改良され得るとともに、本発明にはその等価物も含まれる。
【００９０】
第１実施形態においては、ステップＳｔ１９（図６）において、前年の同月の１ヶ月間における通電時間に対応する時間が第１時間よりも継続的に短いか否かを判断することについて説明したが、これに限られるものではない。例えば、直近の３ヶ月間における通電時間に対応する時間が第１時間よりも継続的に短いか否かを判断することとしてもよい。
【００９１】
又、第１実施形態においては、第１検出部２５が、通電開始時刻に関する設定の異常を検出することについて説明したが、これに限定されるものではない。例えば、第１検出部２５が、スイッチ装置１３のタイマの現在時刻の設定等に基づく計時時刻の異常であることを検出することとしてもよい。
【００９２】
又、第１実施形態においては、温水器１１に対して夜間時間帯に電力が供給されるように通電開始時時刻及び通電時間が設定されることについて説明したが、これに限定されるものではない。例えば、温水器１１に対して所定時間帯に電力が供給されるように通電開始時時刻及び通電時間が設定されることとしてもよい。尚、所定時間帯とは、夜間時間帯であってもよいし、日中時間帯であってもよいし、夜間時間帯及び日中時間帯の双方であってもよいこととする。又、第１実施形態においては、夜間時間帯が２３時から８時までであることについて説明したが、これに限定されるものではない。例えば夜間時間帯を、２２時から７時まで等の２３時から８時までとは異なる時間帯としてもよい。
【符号の説明】
【００９３】
１、１Ｂ              需要家
２、２Ｂ              監視装置
３                    報知装置
１１                  温水器
１３                  スイッチ装置
２５、２５Ｂ          第１検出部
２６、２６Ｂ          第２検出部
Ｍ１、Ｍ３            測定装置
１００、１００Ｂ      配電系統
【図１】
2014235892.tif 000003
【図２】
2014235892.tif 000004
【図３】
2014235892.tif 000005
【図４】
2014235892.tif 000006
【図５】
2014235892.tif 000007
【図６】
2014235892.tif 000008
【図７】
2014235892.tif 000009
【図８】
2014235892.tif 000010
【図９】
2014235892.tif 000011